【手続補正書】
【提出日】平成18年3月10日(2006.3.10)
【手続補正１】
【補正対象書類名】明細書
【補正対象項目名】発明の名称
【補正方法】変更
【補正の内容】
【発明の名称】ディジタル・データストリームを発生する方法およびディジタル装置
【手続補正２】
【補正対象書類名】明細書
【補正対象項目名】特許請求の範囲
【補正方法】変更
【補正の内容】
【特許請求の範囲】
【請求項１】  伝送チャンネルを介して伝送するための番組情報および補助情報を含むディジタル・データストリームを発生する方法であって、
前記番組データストリームに関連するタイムスタンプを備えるステップと、
前記補助情報を発生するステップと、
前記補助情報を前記番組データストリームの中に挿入して、出力データストリームを供給するステップと、
前記出力データストリームを変調して、変調されたデータストリームを供給するステップと、
前記変調されたデータストリームを前記伝送チャンネルに転送するステップとから成り、  
前記挿入するステップが、前記タイムスタンプを変更せずに前記出力データストリームを供給する、前記方法。
【請求項２】  前記変調するステップが、（ａ）１６ＶＳＢ変調、（ｂ）トレリス符号化の無い８ＶＳＢ変調および（ｃ）８ＶＳＢ変調のうちの１つを行う、請求項１記載の方法。
【請求項３】  前記補助情報が、（ａ）ディジタル受信装置で使用できる情報および（ｂ）ヌル（ｎｕｌｌ）情報のうちの１つである、請求項１記載の方法。
【請求項４】前記補助情報および前記番組データストリームが前記転送するステップによりパケットで転送される請求項１記載の方法。
【請求項５】  前記供給するステップが前記番組データストリームを記憶媒体から供給する、請求項１記載の方法。
【請求項６】  前記挿入するステップが更に、前記番組データストリーム内のヌル・データを識別するステップと、
前記ヌル・データを前記補助情報で置き換えるステップとを含む、請求項１記載の方法。
【請求項７】  伝送チャンネルを介して伝送するための番組情報および補助情報を含むディジタル・データストリームを発生するディジタル装置であって、
前記番組データストリームに、関連するタイムスタンプを備える手段と、
前記補助情報を発生する手段と、
前記補助情報と前記番組データストリームを多重化して、出力データストリームを発生するマルチプレクサと、
前記出力データストリームを変調し、変調されたデータストリームを発生する変調器と、
前記変調されたデータストリームを前記伝送チャンネルに転送する出力とから成り、
前記マルチプレクサが、前記タイムスタンプを変えずに、前記出力データストリームを発生する、前記ディジタル装置。
【請求項８】  前記変調器が、（ａ）１６ＶＳＢ変調、（ｂ）トレリス符合化の無い８ＶＳＢ変調および（ｃ）８ＶＳＢ変調のうちの１つを行う、請求項７記載の装置。
【請求項９】  前記変調されたデータストリームがほぼ容量一杯に満たされる、請求項７記載の装置。
【請求項１０】  前記補助情報が、（ａ）第２のディジタル装置で使用できる情報および（ｂ）ヌル情報のうちの１つである、請求項７記載の装置。
【請求項１１】  前記補助情報および前記番組データストリームがパケットで転送される、請求項７記載の装置。
【請求項１２】  前記出力データストリームが ＭＰＥＧ 互換性データストリームである、請求項７記載の装置。
【請求項１３】  前記ディジタル番組データストリームが記憶媒体から取り出される、請求項９記載の装置。
【請求項１４】  前記ディジタル番組データストリーム内にヌル・データを識別する手段を更に含み、前記マルチプレクサが前記ヌル・データを前記補助情報で置き換える、請求項９記載の装置。
【請求項１５】  前記補助情報がＯＳＤ（画面上表示）データである、請求項７記載の装置。
【請求項１６】  前記伝送チャンネルがＲＦ同軸ケーブルである、請求項７記載の装置。
【手続補正３】
【補正対象書類名】明細書
【補正対象項目名】０００２
【補正方法】変更
【補正の内容】
【０００２】
【従来の技術】ＨＤＴＶ（高精細度テレビジョン）信号は、典型的に、現行の放送標準規格（例えばＮＴＳＣ方式）と互換性がない。ＨＤＴＶと互換性のある信号に使用するのに適する、好ましい信号符号化標準規格は、米国で使用するためにグランド  アライアンス（Ｇｒａｎｄ  Ａｌｌｉａｎｃｅ）が採用したＭＰＥＧ−２（Ｍｏｔｉｏｎ  Ｐｉｃｔｕｒｅ  Ｅｘｐｅｒｔｓ  Ｇｒｏｕｐ，“情報技術−動画および関連する音声情報の符号化：Ｖｉｄｅｏ，” ＩＳＯ／ＩＥＣ  １３８１８−２，  Ｍａｙ １５，１９９６）である。このよく知られている標準規格は、映像、音声および補助データを符号化し圧縮するためにフォーマットする指針を与える。ＭＰＥＧ−２と互換性のあるディジタル・テレビジョン信号は地上放送され、衛星リンクを介して伝送され、あるいはケーブル・システムを介して送られる。伝送モードに関係なく、関連するトランスポート・データストリームは、何らかのタイプのデータで完全に占有されることになる。
【手続補正４】
【補正対象書類名】明細書
【補正対象項目名】０００５
【補正方法】変更
【補正の内容】
【０００５】
アナログＶＴＲシステムにおいて、再生時にビデオ信号の中にＯＳＤメッセージを挿入する１つの方法は、ＯＳＤ信号（例えば、ＤＣ電圧レベル）をビデオ信号の中に切換える（ｓｗｉｔｃｈｉｎｇ：スイッチング）ことによる。この切換えは、表示したい時間の間、正確なラインおよびライン位置で起こる。ＯＳＤが除去されても、ビデオ信号はこの切換えにより中断されない。
【手続補正５】
【補正対象書類名】明細書
【補正対象項目名】０００８
【補正方法】変更
【補正の内容】
【０００８】
【発明の実施の形態】ディジタルＶＴＲ（ＤＶＴＲ）は、ベースバンドに復調されたトランスポート・データストリームから再生されるチャンネル全体を記録する。トランスポート・データストリームは圧縮され、容量（公称データ・レート１９，４００，０００ビット／秒）一杯に満たされる。このデータレート（ｄａｔａ  ｒａｔｅ）は、ＭＰＥＧ標準規格で規定される、多レベルの音声、映像および補助情報を含む各チャンネルについてのものである。本発明の原理によれば、記録を再生するために、記録されたデータストリームは再び変調（再変調）され、同軸ケーブルを介してテレビジョン受像機内の復調器に送られる。再変調により、十分な帯域幅が得られ、それによって、ＤＶＴＲにより発生される補助情報の挿入ができる。変調には、米国グランド  アライアンス（Ｇｒａｎｄ  Ａｌｌｉａｎｃｅ）のＨＤＴＶ（高精細度テレビジョン）方式のために提案された、ＶＳＢ（残留側波帯）変調に基づくＶＳＢ変調が使用された。もし記録された信号がベースバンドになければ、以下に述べる実施例を実施する前に、再生時に信号をベースバンドに持ってくる必要がある。
【手続補正６】
【補正対象書類名】明細書
【補正対象項目名】００１３
【補正方法】変更
【補正の内容】
【００１３】
図１と図２の相違は、トレリス・エンコーダ１２とトレリス・デコーダ１６がそれぞれ、符号化／変調チェーンおよび復号化／復調チェーンから除去されていることである。８ＶＳＢシステムにおけるトレリス・エンコーダ１２とトレリス・デコーダ１６を除去することにより、そのデータストリーム内の各３ビットのうち１ビットは他の目的、例えば、補助情報のために利用できる。データの完全な状態および適正なタイミングを維持するために、自由にされたスペースは補助情報またはヌル・データ（ｎｕｌｌ  ｄａｔａ：無効データ）で満たされなければならない。ＭＰＥＧ−２と互換性のデータストリームの場合、付加された情報およびヌル・データはＭＰＥＧ標準規格と互換性のあるフォーマットでパケット化される。
【手続補正７】
【補正対象書類名】明細書
【補正対象項目名】００１８
【補正方法】変更
【補正の内容】
【００１８】
図５は、補助データ・マルチプレクサ３２の１つの考えられる実施例を示す。データストリーム３０は、パケットの流れを維持するのに十分な大きさの記録済みパケット・バッファで受け取られ、補助／ヌル・パケットは記録済みパケット２つ置に挿入される。データストリーム３１は、ＤＶＴＲ内のマイクロプロセッサで発生され、再生されたデータと共に伝送する補助データを含むパケットから成る。補助パケット・バッファ４１は、データストリーム３１を受け取り、出力データストリーム３３の中に挿入するのに適正な時期まで補助パケットをバッファする。ヌル（ｎｕｌｌ：無効）パケット発生器４２は、挿入する補助パケットが無いときにヌル・パケットを出力する。補助パケット・バッフ４１とヌル・パケット発生器４２は何れもそれぞれの出力パケットをマルチプレクサ４３に供給する。マルチプレクサ４３は、補助パケットが補助パケット・バッファ４１内に得られるときはいつも、補助パケット有効信号を受け取る。パケット３つ目毎に、補助パケット有効信号の状態によって、マルチプレクサ４３は補助パケットまたはヌル・パケットの何れかをマルチプレクサ４４に出力する。
【手続補正８】
【補正対象書類名】明細書
【補正対象項目名】００２０
【補正方法】変更
【補正の内容】
【００２０】
図６は、ＭＰＥＧ−２標準規格の第２．４．３項で規定される、ヌル・パケットを示す。ここでは、図７に示す変更したヌル・パケット・フォーマットとの相違を明確にするために図示されている。変更したヌル・パケットは、補助データとヌル・データを、再生されたデータストリームの中に挿入するために使用される。
【手続補正９】
【補正対象書類名】明細書
【補正対象項目名】００２２
【補正方法】変更
【補正の内容】
【００２２】
図７は、図５のヌル・パケット発生器４２から発生される、１つの起り得るヌル・パケットのフォーマットを示す。何れのパケット（図６および図７）も１５０４ビットの長さであり、各パケットの最初の３２ビットはＭＰＥＧ標準で規定されている。図７のパケットの異なる点は、３２番〜５５番ビットまでに、ペイロード・データ以外の情報が含まれていることである。３２番〜３９番ビットは、ヌル・トランスポート・パケット同期データを与える。４０〜４７番ビットは、ヌル・トランスポート・パケット識別子（ＰＩＤ）を与える。４８〜５５番ビットは、他のヌル・パケット・トランスポート情報、例えば、ＣＲＣ（ｃｙｃｌｉｃ  ｒｅｄｕｎｄａｎｃｙ  ｃｈｅｃｋ）データを与える。ペイロード・データ（補助データまたはヌル・データ）は５６番ビットから始まる。しかしながら、４８番ビットから始まる付加的情報は、ペイロード・データと共に伝送される情報によって、上述したものよりも増加または減少する。
【手続補正１０】
【補正対象書類名】明細書
【補正対象項目名】００２４
【補正方法】変更
【補正の内容】
【００２４】
変調されたデータストリームはディジタル装置（例えば、ディジタル・テレビジョン）で受け取られ、図１と図２に示すように、ＶＳＢ復調され、パケット化されたデータストリームを再生する。パケット化されたデータはデマルチプレクサ７０の中に入力される。データ・タイプ選択信号は、デマルチプレクサ７０で受け取られるパケットのタイプを識別する。例えば、パケットの中に、図３のデータストリーム３０の中に挿入される音声データ、映像データあるいは補助データが入れられ、それから、データストリーム３０が記録され、あるいはパケットの中に、記録装置で挿入されるヌル・データまたは補助データが入れられる。記録されたパケットは、パケットのタイプによって、適正な処理チャンネルに出力される。ＤＶＴＲで挿入されたパケットはデマルチプレクサ７０から出力され、デマルチプレクサ７１に入力される。デマルチプレクサ７１は、挿入されたパケットに入っているのが補助データかヌル・データかを識別する。もしパケットにヌル・データが入っていれば、そのデータは捨てられる。パケットに補助データ（例えば、ＯＳＤデータ）が入っていれば、そのデータはデマルチプレクサ７１から補助プロセッサ（例えば、ＯＳＤデータ・プロセッサ）に出力される。トランスポート・データストリーム・デマルチプクサをハードウェアで実施する代わりにソフトウエアによる実施があり、補助データまたはヌル・データを含んでいるパケットを識別しそのデータを処理して適当に送出（ルート：ｒｏｕｔｅ）する。
【手続補正１１】
【補正対象書類名】明細書
【補正対象項目名】００２６
【補正方法】変更
【補正の内容】
【００２６】
図３は、１６ＶＳＢ変調後の出力データストリーム３３−１６を示す。データストリーム３３−１６は、記録された再生データと挿入されたＤＶＴＲデータのパケットを交互に含んでいる。パケット1 〜 6は、データストリーム３０によりマルチプレクサ３２に入力されたデータ・パケットを表す。挿入されたデータは、ＯＳＤパケット、他の補助データ・パケットおよびヌル・パケットを表す。これらの挿入されたパケットのタイプの構成および発生頻度は例示的なものである。実際の発生は、データストリーム３３−１６の中に挿入されるデータによって異なる。データストリームは、一度受信されると、図８に関連して上述したように処理される。
【手続補正１２】
【補正対象書類名】明細書
【補正対象項目名】００２７
【補正方法】変更
【補正の内容】
【００２７】
補助データ・マルチプレクサ３２に代わる実施例は図９に示されている。この実施例は、挿入されたデ−タ・レ−トが高いので、１６ＶＳＢ変調に対し一層能率的である。図９と図５の相違は、補助デ−タとヌル・デ−タをマルチプレクサ８４で多重化することにある。この実施例では、補助デ−タ・バッファ８０とヌル・デ−タ・バッファ８２はマルチプレクサ８４にデ−タを供給する。補助パケット信号の状態によって、これら２つのデ−タ・ストリングの一方は、ヌル・パケット発生器８６に出力される。発生器８６は、選択されたデ−タストリ−ムを受け取り、１つのパケットを発生する。次に、このパケットはマルチプレクサ８８に供給され、上述のように、デ−タストリ−ム３３の中に挿入される。 
【手続補正１３】
【補正対象書類名】明細書
【補正対象項目名】００３５
【補正方法】変更
【補正の内容】
【００３５】
上述の挿入されたデータは、補助データとして述べた。しかしながら、他のタイプの情報（例えば、後置のハードウェアが応答するコマンド）も挿入することができる。この挿入されたデータは、希望の時間、有効画像の全部または一部と入れ替わる完全なビットマップ（ｂｉｔ−ｍａｐｐｅｄ）イメージとなり、またそのビットマップ・イメージを更新する。上述の挿入されたデータは、データ（このデータはＤＶＴＲで送られる任意のタイプのデータを表す）を再生データストリームの中に挿入する機能を備える。